(57)【特許請求の範囲】
【請求項１】
複数のオブジェクトをレイアウトして仕上がりイメージを表現したテンプレート原稿と、画像形成を行う原稿とを読み取る画像読取手段と、
前記原稿読取手段で読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析手段と、
印刷設定に関わる複数の設定項目情報を前記画像解析手段で抽出される各特性値と関連付けて記憶している設定項目記憶手段と、
前記画像解析手段によって抽出された前記テンプレート原稿の特性値を前記設定項目記憶手段に照合し、該特性値に関連した印刷設定に関わる印刷設定項目を検索する設定項目検索手段と、
前記設定項目検索手段によって検索された印刷設定項目に対して、前記画像解析手段によって抽出された前記テンプレート原稿の特性値に基づいて、前記テンプレート原稿に表現されたイメージ通りの印刷設定を行うユーザ設定手段と、
を備え、前記テンプレート原稿に対して実際の仕上げ処理を施すことで仕上げ処理に関するレイアウトを形成し、当該テンプレート原稿を前記原稿読取手段で読み取って前記画像解析手段により仕上げ処理のレイアウトに関する特性値を抽出可能としたことを特徴とする画像形成装置。
【請求項２】
複数のオブジェクトをレイアウトして仕上がりイメージを表現したテンプレート原稿と、画像形成を行う原稿とを読み取る画像読取手段と、
前記原稿読取手段で読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析手段と、
印刷設定に関わる複数の設定項目情報を前記画像解析手段で抽出される各特性値と関連付けて記憶している設定項目記憶手段と、
前記画像解析手段によって抽出された前記テンプレート原稿の特性値を前記設定項目記憶手段に照合し、該特性値に関連した印刷設定に関わる印刷設定項目を検索する設定項目検索手段と、
前記設定項目検索手段によって検索された印刷設定項目に対して、前記画像解析手段によって抽出された前記テンプレート原稿の特性値に基づいて、前記テンプレート原稿に表現されたイメージ通りの印刷設定を行うユーザ設定手段と、
前記ユーザ設定手段で印刷設定された印刷設定項目に基づいて、画像形成を行う前記原稿の画像データを画像処理する画像処理手段と、
前記画像処理手段で画像処理された画像データを用紙に印刷する印刷手段と、
前記ユーザ設定手段で印刷設定された印刷設定項目に基づいて、前記印刷手段により印刷した印刷後の印刷用紙に対して各種仕上げ処理を施す仕上げ処理手段と、
を備え、前記テンプレート原稿に対して実際の仕上げ処理を施すことで仕上げ処理に関するレイアウトを形成し、当該テンプレート原稿を前記原稿読取手段で読み取って前記画像解析手段により仕上げ処理のレイアウトに関する特性値を抽出可能としたことを特徴とする画像形成装置。
【請求項３】
前記テンプレート原稿に対して、実際の仕上げ処理を施すことに代えて、該仕上げ処理に相当する所定形状の模倣パターンを記入することで仕上げ処理のレイアウトを形成し、当該テンプレート原稿を前記原稿読取手段で読み取って前記画像解析手段により仕上げ処理のレイアウトに関する特性値を抽出可能としたことを特徴とする請求項１または２に記載の画像形成装置。
【請求項４】
前記画像解析手段は、前記仕上げ処理に関するレイアウトの認識形状が円形状で、かつその円形状の座標位置が前記テンプレート原稿の左端あるいは上端のいずれか一方にあると判定すると、パンチ穴に相当する特性値を抽出し、
前記ユーザ設定手段は、前記パンチ穴の前記仕上げ処理に関する印刷設定を行うことを特徴とする請求項１〜３のいずれか一つに記載の画像形成装置。
【請求項５】
前記画像解析手段は、前記仕上げ処理に関するレイアウトの認識形状が直線形状で、かつその直線形状の座標位置が前記テンプレート原稿の左端あるいは上端のいずれか一方にあると判定すると、ステープルに相当する特性値を抽出し、
前記ユーザ設定手段は、前記ステープルの前記仕上げ処理に関する印刷設定を行うことを特徴とする請求項１〜３のいずれか一つに記載の画像形成装置。
【請求項６】
前記テンプレート原稿に対して、前記仕上げ処理に相当する所定形状の模倣パターンを記入する際に、ステープラーに相当する直線形状の印章が押印可能な模倣用具を用いることを特徴とする請求項３に記載の画像形成装置。
【請求項７】
前記テンプレート原稿に対して、前記仕上げ処理に相当する所定形状の模倣パターンを記入する際に、穿孔機に相当する円形状の印章が押印可能な模倣用具を用いることを特徴とする請求項３に記載の画像形成装置。
【請求項８】
前記原稿読取手段は、原稿トレイにセットされた複数ページの原稿を順次搬送しながら所定の読み取り位置に原稿をセットし、原稿の片面あるいは両面を連続して自動的に読み取り可能とする自動原稿搬送手段をさらに備え、
前記ユーザ設定手段は、前記原稿トレイにセットされた１枚目の原稿を前記テンプレート原稿と認識して印刷設定を行い、
前記画像処理手段は、前記ユーザ設定手段による印刷設定に基づいて２枚目以降の画像形成を行う前記原稿の画像処理を行い、
前記印刷手段は、前記画像処理手段で画像処理された画像データを用紙に印刷し、
前記仕上げ処理手段は、前記印刷手段により印刷した印刷後の印刷用紙に対して、前記ユーザ設定手段による印刷設定に基づいて仕上げ処理を施すことを特徴とする請求項２〜７のいずれか一つに記載の画像形成装置。
【請求項９】
画像形成装置で実行される画像形成方法であって、
前記画像形成装置は、原稿読取手段と、画像解析手段と、設定項目記憶手段と、設定項目検索手段と、ユーザ設定手段とを備え、
前記原稿読取手段が、複数のオブジェクトをレイアウトして仕上がりイメージを表現したテンプレート原稿と、画像形成を行う原稿とを読み取る原稿読取ステップと、
前記画像解析手段が、前記原稿読取ステップで読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析ステップと、
前記設定項目検索手段が、印刷設定に関わる複数の設定項目情報を前記特性値と関連付けて記憶している前記設定項目記憶手段に照合し、前記画像解析ステップで抽出された前記テンプレート原稿の特性値に関連した印刷設定に関わる印刷設定項目を検索する設定項目検索ステップと、
前記ユーザ設定手段が、前記設定項目検索ステップによって検索した印刷設定項目に対して、前記画像解析ステップによって抽出された前記テンプレート原稿の特性値に基づいて、前記テンプレート原稿に表現されたイメージ通りの印刷設定を行うユーザ設定ステップと、
を含み、前記テンプレート原稿に対して実際の仕上げ処理を施すことで仕上げ処理に関するレイアウトを形成し、当該テンプレート原稿を前記原稿読取ステップで読み取って前記画像解析ステップにより仕上げ処理のレイアウトに関する特性値を抽出可能としたことを特徴とする画像形成方法。
【請求項１０】
画像形成装置で実行される画像形成方法であって、
前記画像形成装置は、原稿読取手段と、画像解析手段と、設定項目記憶手段と、設定項目検索手段と、ユーザ設定手段と、画像処理手段と、印刷手段と、仕上げ処理手段とを備え、
前記原稿読取手段が、複数のオブジェクトをレイアウトして仕上がりイメージ表現したテンプレート原稿と、画像形成を行う原稿とを読み取る原稿読取ステップと、
前記画像解析手段が、前記原稿読取ステップで読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析ステップと、
前記設定項目検索手段が、印刷設定に関わる複数の設定項目情報を前記特性値と関連付けて記憶している前記設定項目記憶手段に照合し、前記画像解析ステップで抽出された前記テンプレート原稿の特性値に関連した印刷設定に関わる印刷設定項目を検索する設定項目検索ステップと、
前記ユーザ設定手段が、前記設定項目検索ステップによって検索した印刷設定項目に対して、前記画像解析ステップによって抽出された前記テンプレート原稿の特性値に基づいて、前記テンプレート原稿に表現されたイメージ通りの印刷設定を行うユーザ設定ステップと、
前記画像処理手段が、前記ユーザ設定ステップによって印刷設定された印刷設定項目に基づいて、画像形成を行う前記原稿の画像データを画像処理する画像処理ステップと、
前記印刷手段が、前記画像処理ステップによって画像処理された画像データを用紙に印刷する印刷ステップと、
前記仕上げ処理手段が、前記ユーザ設定ステップによって印刷設定された印刷設定項目に基づいて、前記印刷ステップにより印刷した印刷後の印刷用紙に対して各種仕上げ処理を施す仕上げ処理ステップと、
を含み、前記テンプレート原稿に対して実際の仕上げ処理を施すことで仕上げ処理に関するレイアウトを形成し、当該テンプレート原稿を前記原稿読取ステップで読み取って前記画像解析ステップにより仕上げ処理のレイアウトに関する特性値を抽出可能としたことを特徴とする画像形成方法。
【請求項１１】
前記テンプレート原稿に対して、実際の仕上げ処理を施すことに代えて、該仕上げ処理に相当する所定形状の模倣パターンを記入して仕上げ処理のレイアウトを形成し、当該テンプレート原稿を前記原稿読取ステップで読み取って、前記画像解析ステップで仕上げ処理のレイアウトに関する特性値を抽出可能としたことを特徴とする請求項９または１０に記載の画像形成方法。
【請求項１２】
前記画像解析ステップは、前記仕上げ処理に関するレイアウトの認識形状が円形状で、かつその円形状の座標位置が前記テンプレート原稿の左端あるいは上端のいずれか一方にあると判定すると、パンチ穴に相当する特性値を抽出し、
前記ユーザ設定ステップは、前記パンチ穴の前記仕上げ処理に関する印刷設定を行うことを特徴とする請求項９〜１１のいずれか一つに記載の画像形成方法。
【請求項１３】
前記画像解析ステップは、前記仕上げ処理に関するレイアウトの認識形状が直線形状で、かつその直線形状の座標位置が前記テンプレート原稿の左端あるいは上端のいずれか一方にあると判定すると、ステープルに相当する特性値を抽出し、
前記ユーザ設定ステップは、前記ステープルの前記仕上げ処理に関する印刷設定を行うことを特徴とする請求項９〜１１のいずれか一つに記載の画像形成方法。
【請求項１４】
前記テンプレート原稿に対して、前記仕上げ処理に相当する所定形状の模倣パターンを記入する際に、ステープラーに相当する直線形状の印章が押印可能な模倣用具を用いることを特徴とする請求項１１に記載の画像形成方法。
【請求項１５】
前記テンプレート原稿に対して、前記仕上げ処理に相当する所定形状の模倣パターンを記入する際に、穿孔機に相当する円形状の印章が押印可能な模倣用具を用いることを特徴とする請求項１１に記載の画像形成方法。
【請求項１６】
前記原稿読取ステップは、原稿トレイにセットされた複数ページの原稿を順次搬送しながら所定の読み取り位置に原稿をセットし、原稿の片面あるいは両面を連続して自動的に読み取り可能とする自動原稿搬送ステップをさらに含み、
前記ユーザ設定ステップは、前記原稿トレイにセットされた１枚目の原稿を前記テンプレート原稿と認識して印刷設定を行い、
前記画像処理ステップは、前記ユーザ設定ステップによる印刷設定に基づいて２枚目以降の画像形成を行う前記原稿の画像処理を行い、
前記印刷ステップは、前記画像処理ステップで画像処理された画像データを用紙に印刷し、
前記仕上げ処理ステップは、前記印刷ステップにより印刷した印刷後の印刷用紙に対して、前記ユーザ設定ステップによる印刷設定に基づいて仕上げ処理を施すことを特徴とする請求項１０〜１５のいずれか一つに記載の画像形成方法。
【発明の詳細な説明】
【技術分野】
【０００１】
本発明は、少なくとも仕上がりイメージを表現したテンプレート原稿を読み取った画像データを事前に解析して、テンプレート原稿の属性を表す特性値を抽出し、その特性値に関連する設定項目に基づいて印刷設定を行い、その設定された印刷設定項目に基づいて画像データの加工や仕上げ処理を施して印刷出力する画像形成装置および画像形成方法に関するものである。
【背景技術】
【０００２】
従来より、原稿画像を読み取るスキャナ、スキャナで読み取った原稿画像を印刷する複写機、外部から入力された画像データを印刷するプリンタやファクシミリ装置、あるいは、これらの機能を兼ね備えた複合機などの画像形成装置が一般に用いられている。
【０００３】
この種の画像形成装置にあっては、原稿の種類や濃度といった原稿の状態に関する設定、拡大率／縮小率、片面／両面、あるいは余白サイズといった各種画像処理に関する設定、ソート、ステープル処理、あるいはパンチ穴あけといった仕上げ処理に関する設定など様々な機能に関する設定を行う必要がある。このため、ユーザは、印刷設定に関する非常に膨大な選択項目の中から所望の機能を探し出して、正確な設定入力を行わなければならなかった。
【０００４】
この傾向は、特に最近の画像形成装置のように、使用頻度の高いものから使用頻度の低いものまで非常に豊富な機能を有しているもの、あるいは、それらを組み合わせた複合機などにおいて顕著である。
【０００５】
そこで、操作パネルなどのユーザインタフェースを使わずに印刷設定を行う方法としては、例えばジョブシートと呼ばれるマークシート形式の印刷設定用紙を使い、印刷設定に必要な個所に印をつけて光学文字読取装置（ＯＣＲ）などで設定情報を読み取るものがあった。
【０００６】
また、この他にも、画像形成条件の設定情報およびその設定情報を絵や文字で表した目視理解可能パターンが記録された設定カードを原稿台にセットし、操作パネルのスタートキーを押下すると設定カードに記録された設定情報がスキャナ部等で光学的に読み取られ、画像処理部で認識することにより、基本部CPUのRAM内における設定データテーブルに画像形成条件が自動設定可能となり、操作性等の向上が図れる画像形成装置があった（特許文献１参照）。
【０００７】
【特許文献１】特開平９−２６１３８２号公報
【発明の開示】
【発明が解決しようとする課題】
【０００８】
しかしながら、このような背景技術にあっては、操作パネルなどの印刷設定画面の選択項目をチェックする代わりに、ジョブシートと呼ばれる印刷設定用紙に印をつけてＯＣＲなどで設定情報を読み取らせて印刷設定する場合、一旦チェックしたジョブシートを他の画像形成装置などで何度も使いまわせる点で操作性が向上したといえる。しかし、最初にジョブシートを作成する際の手間は、印刷設定の選択項目数自体が変わらない以上、操作パネルの場合と同様であるという問題があった。
【０００９】
さらに、上記特許文献１は、画像形成条件の設定情報およびその設定情報を絵や文字で表した目視理解可能パターンが記録された設定カードを使うという点で、本願発明のテンプレート原稿と類似しているように見える。しかし、特許文献１の設定カードは、画像形成条件の設定情報がバーコードなどで表示されていると共に、その設定情報を目視理解可能なパターンとしてアイコンや文字などで表示されているだけであるため、約束事を理解していないユーザがこれを見ても仕上がり状態を予測することが難しい上、一旦設定された設定カードの情報を後から変更することは非常に困難であるという問題があった。
【００１０】
本発明は、上記に鑑みてなされたものであって、印刷設定を行うテンプレート原稿を仕上がりイメージで表現するようにしたため、容易に仕上がり状態を予測することができ、実際の原稿をテンプレート原稿として用いたり、設定情報を後から追加したり変更したりすることが可能となり、印刷設定作業を適正かつ効率良く行える画像形成装置、画像形成システム、画像形成方法、その方法をコンピュータに実行させるプログラムを提供することを目的とする。
【課題を解決するための手段】
【００１１】
上述した課題を解決し、目的を達成するために、請求項１にかかる発明は、複数のオブジェクトをレイアウトして仕上がりイメージを表現したテンプレート原稿と、画像形成を行う原稿とを読み取る画像読取手段と、前記原稿読取手段で読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析手段と、印刷設定に関わる複数の設定項目情報を前記画像解析手段で抽出される各特性値と関連付けて記憶している設定項目記憶手段と、前記画像解析手段によって抽出された前記テンプレート原稿の特性値を前記設定項目記憶手段に照合し、該特性値に関連した印刷設定に関わる印刷設定項目を検索する設定項目検索手段と、前記設定項目検索手段によって検索された印刷設定項目に対して、前記画像解析手段によって抽出された前記テンプレート原稿の特性値に基づいて、前記テンプレート原稿に表現されたイメージ通りの印刷設定を行うユーザ設定手段と、を備え、前記テンプレート原稿に対して実際の仕上げ処理を施すことで仕上げ処理に関するレイアウトを形成し、当該テンプレート原稿を前記原稿読取手段で読み取って前記画像解析手段により仕上げ処理のレイアウトに関する特性値を抽出可能としたことを特徴とする。
【００１２】
また、請求項２にかかる発明は、複数のオブジェクトをレイアウトして仕上がりイメージを表現したテンプレート原稿と、画像形成を行う原稿とを読み取る画像読取手段と、前記原稿読取手段で読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析手段と、印刷設定に関わる複数の設定項目情報を前記画像解析手段で抽出される各特性値と関連付けて記憶している設定項目記憶手段と、前記画像解析手段によって抽出された前記テンプレート原稿の特性値を前記設定項目記憶手段に照合し、該特性値に関連した印刷設定に関わる印刷設定項目を検索する設定項目検索手段と、前記設定項目検索手段によって検索された印刷設定項目に対して、前記画像解析手段によって抽出された前記テンプレート原稿の特性値に基づいて、前記テンプレート原稿に表現されたイメージ通りの印刷設定を行うユーザ設定手段と、前記ユーザ設定手段で印刷設定された印刷設定項目に基づいて、画像形成を行う前記原稿の画像データを画像処理する画像処理手段と、前記画像処理手段で画像処理された画像データを用紙に印刷する印刷手段と、前記ユーザ設定手段で印刷設定された印刷設定項目に基づいて、前記印刷手段により印刷した印刷後の印刷用紙に対して各種仕上げ処理を施す仕上げ処理手段と、を備え、前記テンプレート原稿に対して実際の仕上げ処理を施すことで仕上げ処理に関するレイアウトを形成し、当該テンプレート原稿を前記原稿読取手段で読み取って前記画像解析手段により仕上げ処理のレイアウトに関する特性値を抽出可能としたことを特徴とする。
【００１３】
また、請求項３にかかる発明は、請求項１または２に記載の画像形成装置において、前記テンプレート原稿に対して、実際の仕上げ処理を施すことに代えて、該仕上げ処理に相当する所定形状の模倣パターンを記入することで仕上げ処理のレイアウトを形成し、当該テンプレート原稿を前記原稿読取手段で読み取って前記画像解析手段により仕上げ処理のレイアウトに関する特性値を抽出可能としたことを特徴とする。
【００１４】
また、請求項４にかかる発明は、請求項１〜３のいずれか一つに記載の画像形成装置において、前記画像解析手段は、前記仕上げ処理に関するレイアウトの認識形状が円形状で、かつその円形状の座標位置が前記テンプレート原稿の左端あるいは上端のいずれか一方にあると判定すると、パンチ穴に相当する特性値を抽出し、前記ユーザ設定手段は、前記パンチ穴の前記仕上げ処理に関する印刷設定を行うことを特徴とする。
【００１５】
また、請求項５にかかる発明は、請求項１〜３のいずれか一つに記載の画像形成装置において、前記画像解析手段は、前記仕上げ処理に関するレイアウトの認識形状が直線形状で、かつその直線形状の座標位置が前記テンプレート原稿の左端あるいは上端のいずれか一方にあると判定すると、ステープルに相当する特性値を抽出し、前記ユーザ設定手段は、前記ステープルの前記仕上げ処理に関する印刷設定を行うことを特徴とする。
【００１６】
また、請求項６にかかる発明は、請求項３に記載の画像形成装置において、前記テンプレート原稿に対して、前記仕上げ処理に相当する所定形状の模倣パターンを記入する際に、ステープラーに相当する直線形状の印章が押印可能な模倣用具を用いることを特徴とする。
【００１７】
また、請求項７にかかる発明は、請求項３に記載の画像形成装置において、前記テンプレート原稿に対して、前記仕上げ処理に相当する所定形状の模倣パターンを記入する際に、穿孔機に相当する円形状の印章が押印可能な模倣用具を用いることを特徴とする。
【００１８】
また、請求項８にかかる発明は、請求項２〜７のいずれか一つに記載の画像形成装置において、前記原稿読取手段は、原稿トレイにセットされた複数ページの原稿を順次搬送しながら所定の読み取り位置に原稿をセットし、原稿の片面あるいは両面を連続して自動的に読み取り可能とする自動原稿搬送手段をさらに備え、前記ユーザ設定手段は、前記原稿トレイにセットされた１枚目の原稿を前記テンプレート原稿と認識して印刷設定を行い、前記画像処理手段は、前記ユーザ設定手段による印刷設定に基づいて２枚目以降の画像形成を行う前記原稿の画像処理を行い、前記印刷手段は、前記画像処理手段で画像処理された画像データを用紙に印刷し、前記仕上げ処理手段は、前記印刷手段により印刷した印刷後の印刷用紙に対して、前記ユーザ設定手段による印刷設定に基づいて仕上げ処理を施すことを特徴とする。
【００１９】
また、請求項９にかかる発明は、画像形成装置で実行される画像形成方法であって、前記画像形成装置は、原稿読取手段と、画像解析手段と、設定項目記憶手段と、設定項目検索手段と、ユーザ設定手段とを備え、前記原稿読取手段が、複数のオブジェクトをレイアウトして仕上がりイメージを表現したテンプレート原稿と、画像形成を行う原稿とを読み取る原稿読取ステップと、前記画像解析手段が、前記原稿読取ステップで読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析ステップと、前記設定項目検索手段が、印刷設定に関わる複数の設定項目情報を前記特性値と関連付けて記憶している前記設定項目記憶手段に照合し、前記画像解析ステップで抽出された前記テンプレート原稿の特性値に関連した印刷設定に関わる印刷設定項目を検索する設定項目検索ステップと、前記ユーザ設定手段が、前記設定項目検索ステップによって検索した印刷設定項目に対して、前記画像解析ステップによって抽出された前記テンプレート原稿の特性値に基づいて、前記テンプレート原稿に表現されたイメージ通りの印刷設定を行うユーザ設定ステップと、を含み、前記テンプレート原稿に対して実際の仕上げ処理を施すことで仕上げ処理に関するレイアウトを形成し、当該テンプレート原稿を前記原稿読取ステップで読み取って前記画像解析ステップにより仕上げ処理のレイアウトに関する特性値を抽出可能としたことを特徴とする。
【００２０】
また、請求項１０にかかる発明は、画像形成装置で実行される画像形成方法であって、
前記画像形成装置は、原稿読取手段と、画像解析手段と、設定項目記憶手段と、設定項目検索手段と、ユーザ設定手段と、画像処理手段と、印刷手段と、仕上げ処理手段とを備え、前記原稿読取手段が、複数のオブジェクトをレイアウトして仕上がりイメージ表現したテンプレート原稿と、画像形成を行う原稿とを読み取る原稿読取ステップと、前記画像解析手段が、前記原稿読取ステップで読み取った前記テンプレート原稿の画像データを解析し、該テンプレート原稿の大きさ、該テンプレート原稿に記載された複数のオブジェクトのレイアウト形状、該レイアウト形状が存在する座標位置、該レイアウト形状が存在する図形領域、および該レイアウト形状を表す色情報の少なくとも一つに基づいて、該テンプレート原稿の属性を表す特性値を抽出する画像解析ステップと、前記設定項目検索手段が、印刷設定に関わる複数の設定項目情報を前記特性値と関連付けて記憶している前記設定項目記憶手段に照合し、前記画像解析ステップで抽出された前記テンプレート原稿の特性値に関連した印刷設定に関わる印刷設定項目を検索する設定項目検索ステップと、前記ユーザ設定手段が、前記設定項目検索ステップによって検索した印刷設定項目に対して、前記画像解析ステップによって抽出された前記テンプレート原稿の特性値に基づいて、前記テンプレート原稿に表現されたイメージ通りの印刷設定を行うユーザ設定ステップと、前記画像処理手段が、前記ユーザ設定ステップによって印刷設定された印刷設定項目に基づいて、画像形成を行う前記原稿の画像データを画像処理する画像処理ステップと、前記印刷手段が、前記画像処理ステップによって画像処理された画像データを用紙に印刷する印刷ステップと、前記仕上げ処理手段が、前記ユーザ設定ステップによって印刷設定された印刷設定項目に基づいて、前記印刷ステップにより印刷した印刷後の印刷用紙に対して各種仕上げ処理を施す仕上げ処理ステップと、を含み、前記テンプレート原稿に対して実際の仕上げ処理を施すことで仕上げ処理に関するレイアウトを形成し、当該テンプレート原稿を前記原稿読取ステップで読み取って前記画像解析ステップにより仕上げ処理のレイアウトに関する特性値を抽出可能としたことを特徴とする。
【００２１】
また、請求項１１にかかる発明は、請求項９または１０に記載の画像形成方法において、前記テンプレート原稿に対して、実際の仕上げ処理を施すことに代えて、該仕上げ処理に相当する所定形状の模倣パターンを記入して仕上げ処理のレイアウトを形成し、当該テンプレート原稿を前記原稿読取ステップで読み取って、前記画像解析ステップで仕上げ処理のレイアウトに関する特性値を抽出可能としたことを特徴とする。
【００２２】
また、請求項１２にかかる発明は、請求項９〜１１のいずれか一つに記載の画像形成方法において、前記画像解析ステップは、前記仕上げ処理に関するレイアウトの認識形状が円形状で、かつその円形状の座標位置が前記テンプレート原稿の左端あるいは上端のいずれか一方にあると判定すると、パンチ穴に相当する特性値を抽出し、前記ユーザ設定ステップは、前記パンチ穴の前記仕上げ処理に関する印刷設定を行うことを特徴とする。
【００２３】
また、請求項１３にかかる発明は、請求項９〜１１のいずれか一つに記載の画像形成方法において、前記画像解析ステップは、前記仕上げ処理に関するレイアウトの認識形状が直線形状で、かつその直線形状の座標位置が前記テンプレート原稿の左端あるいは上端のいずれか一方にあると判定すると、ステープルに相当する特性値を抽出し、前記ユーザ設定ステップは、前記ステープルの前記仕上げ処理に関する印刷設定を行うことを特徴とする。
【００２４】
また、請求項１４にかかる発明は、請求項１１に記載の画像形成方法において、前記テンプレート原稿に対して、前記仕上げ処理に相当する所定形状の模倣パターンを記入する際に、ステープラーに相当する直線形状の印章が押印可能な模倣用具を用いることを特徴とする。
【００２５】
また、請求項１５にかかる発明は、請求項１１に記載の画像形成方法において、前記テンプレート原稿に対して、前記仕上げ処理に相当する所定形状の模倣パターンを記入する際に、穿孔機に相当する円形状の印章が押印可能な模倣用具を用いることを特徴とする。
【００２６】
また、請求項１６にかかる発明は、請求項１０〜１５のいずれか一つに記載の画像形成方法において、前記原稿読取ステップは、原稿トレイにセットされた複数ページの原稿を順次搬送しながら所定の読み取り位置に原稿をセットし、原稿の片面あるいは両面を連続して自動的に読み取り可能とする自動原稿搬送ステップをさらに含み、前記ユーザ設定ステップは、前記原稿トレイにセットされた１枚目の原稿を前記テンプレート原稿と認識して印刷設定を行い、前記画像処理ステップは、前記ユーザ設定ステップによる印刷設定に基づいて２枚目以降の画像形成を行う前記原稿の画像処理を行い、前記印刷ステップは、前記画像処理ステップで画像処理された画像データを用紙に印刷し、前記仕上げ処理ステップは、前記印刷ステップにより印刷した印刷後の印刷用紙に対して、前記ユーザ設定ステップによる印刷設定に基づいて仕上げ処理を施すことを特徴とする。
【発明の効果】
【００４０】
請求項１にかかる発明によれば、テンプレート原稿に実際の仕上げ処理を施すことによって、仕上げ処理に関するレイアウトを形成し、そのテンプレート原稿を原稿読取手段で読み取って、画像解析手段により仕上げ処理のレイアウトに関する特性値を抽出し、設定項目検索手段で特性値に関連する印刷設定項目を検索し、ユーザ設定手段がその印刷設定項目に対して抽出した特性値に基づいて印刷設定が行われるため、実際に仕上げ処理が施された原稿をそのまま利用したり、テンプレート専用原稿に仕上げ処理を施したものを用いるだけで、容易に仕上げ処理に関するレイアウトを認識させることができるという効果を奏する。
【００４１】
請求項２にかかる発明によれば、テンプレート原稿に実際の仕上げ処理を施すことによって、仕上げ処理に関するレイアウトを形成し、そのテンプレート原稿を原稿読取手段で読み取って、画像解析手段により仕上げ処理のレイアウトに関する特性値を抽出し、設定項目検索手段で特性値に関連する印刷設定項目を検索し、ユーザ設定手段がその印刷設定項目に対して抽出した特性値に基づいて印刷設定が行われ、印刷設定された印刷設定項目に基づいて、画像処理と印刷処理と仕上げ処理とが行われるため、実際に仕上げ処理が施された原稿をそのまま利用したり、テンプレート専用原稿に仕上げ処理を施したものを用いるだけで、容易に仕上げ処理に関するレイアウトを認識させることができるという効果を奏する。
【００４２】
請求項３にかかる発明によれば、テンプレート原稿に実際の仕上げ処理を施すことに代えて、その仕上げ処理に相当する所定形状の模倣パターンを記入して仕上げ処理のレイアウトを形成し、そのテンプレート原稿を原稿読取手段で読み取って、画像解析手段により仕上げ処理のレイアウトに関する特性値を抽出可能としたため、仕上げ処理のレイアウトは、実際に仕上げ処理を施すだけでなく、模倣パターンを記入しても認識させることができることから、容易に仕上げ処理に関するレイアウトを作成することができるという効果を奏する。
【００４３】
請求項４にかかる発明によれば、画像解析手段が円形状のレイアウトを認識し、その円形状の座標位置が原稿左端あるいは上端のいずれか一方にあると判定すると、パンチ穴に相当する特性値を抽出し、ユーザ設定手段でパンチ穴の仕上げ処理に関する印刷設定を行うようにしたため、レイアウトの認識状態に応じてパンチ穴の仕上げ処理が施されていることを認識し、パンチ穴の仕上げ処理に関する印刷設定を自動的に行うことができるという効果を奏する。
【００４４】
請求項５にかかる発明によれば、画像解析手段が直線形状のレイアウトを認識し、その直線形状の座標位置が原稿左端あるいは上端のいずれか一方にあると判定すると、ステープルに相当する特性値を抽出し、ユーザ設定手段でステープルの仕上げ処理に関する印刷設定を行うようにしたため、レイアウトの認識状態に応じてステープルの仕上げ処理が施されていることを認識し、ステープルの仕上げ処理に関する印刷設定を自動的に行うことができるという効果を奏する。
【００４５】
請求項６にかかる発明によれば、テンプレート原稿に対して仕上げ処理に相当する模倣パターンを記入する際に、ステープラーに相当する直線形状の印章が押印可能な模倣用具を用いるようにしたため、実際にテンプレート原稿にステープルを打たずに直線形状の印章を押印するだけで、ステープルに関する特性値が抽出可能なレイアウトを容易に作成することができるという効果を奏する。
【００４６】
請求項７にかかる発明によれば、テンプレート原稿に対して仕上げ処理に相当する模倣パターンを記入する際に、穿孔機に相当する円形状の印章が押印可能な模倣用具を用いるようにしたため、実際にテンプレート原稿にパンチ穴を開けずに円形状の印章を押印するだけで、パンチ穴に関する特性値が抽出可能なレイアウトを容易に作成することができるという効果を奏する。
【００４７】
請求項８にかかる発明によれば、原稿読取手段は原稿トレイにセットされた複数ページの原稿を順次搬送しながら原稿の片面あるいは両面を連続して自動的に読み取れる自動原稿搬送手段をさらに備え、原稿トレイにセットされた１枚目の原稿をテンプレート原稿と認識して印刷設定を行い、その印刷設定に基づいて２枚目以降の原稿を印刷処理するようにしたため、テンプレート原稿を１枚目にセットするか、印刷設定に適した実際の原稿を１枚目にセットするだけで、自動的に適正な印刷設定が行われて、複数ページからなる原稿を適正かつ迅速に印刷処理することができるという効果を奏する。
【００４８】
請求項９にかかる発明によれば、テンプレート原稿に実際の仕上げ処理を施すことにより、仕上げ処理に関するレイアウトを形成し、そのテンプレート原稿を原稿読取ステップで読み取り、画像解析ステップで仕上げ処理のレイアウトに関する特性値を抽出し、設定項目検索ステップで特性値に関連する印刷設定項目を検索し、ユーザ設定ステップでその印刷設定項目に対して抽出した特性値に基づいて印刷設定が行われるため、実際に仕上げ処理が施された原稿をそのまま利用したり、テンプレート専用原稿に仕上げ処理を施したものを用いるだけで、容易に仕上げ処理に関するレイアウトを認識させることができるという効果を奏する。
【００４９】
請求項１０にかかる発明によれば、テンプレート原稿に実際の仕上げ処理を施すことにより、仕上げ処理に関するレイアウトを形成し、そのテンプレート原稿を原稿読取ステップで読み取り、画像解析ステップで仕上げ処理のレイアウトに関する特性値を抽出し、設定項目検索ステップで特性値に関連する印刷設定項目を検索し、ユーザ設定ステップでその印刷設定項目に対して抽出した特性値に基づいて印刷設定が行われ、印刷設定された印刷設定項目に基づいて、画像処理と印刷処理と仕上げ処理とが行われるため、実際に仕上げ処理が施された原稿をそのまま利用したり、テンプレート専用原稿に仕上げ処理を施したものを用いるだけで、容易に仕上げ処理に関するレイアウトを認識させることができるという効果を奏する。
【００５０】
請求項１１にかかる発明によれば、テンプレート原稿に仕上げ処理に相当する所定形状の模倣パターンを記入して仕上げ処理のレイアウトを形成し、そのテンプレート原稿を原稿読取ステップで読み取り、画像解析ステップによって仕上げ処理のレイアウトに関する特性値を抽出するようにしたため、仕上げ処理のレイアウトは、実際に仕上げ処理を施すだけでなく、模倣パターンを記入しても認識させることができるので、容易に仕上げ処理に関するレイアウトが作成できるという効果を奏する。
【００５１】
請求項１２にかかる発明によれば、画像解析ステップで円形状のレイアウトを認識し、その円形状の座標位置が原稿左端あるいは上端のいずれか一方にあると判定されると、パンチ穴に相当する特性値を抽出し、ユーザ設定ステップでパンチ穴の仕上げ処理に関する印刷設定を行うようにしたため、レイアウトの認識状態に応じてパンチ穴の仕上げ処理が施されていることを認識し、パンチ穴の仕上げ処理に関する印刷設定を自動的に行うことができるという効果を奏する。
【００５２】
請求項１３にかかる発明によれば、画像解析ステップで直線形状のレイアウトを認識し、その直線形状の座標位置が原稿左端あるいは上端のいずれか一方にあると判定されると、ステープルに相当する特性値を抽出し、ユーザ設定ステップでステープルの仕上げ処理に関する印刷設定を行うようにしたため、レイアウトの認識状態に応じてステープルの仕上げ処理が施されていることを認識し、ステープルの仕上げ処理に関する印刷設定を自動的に行うことができるという効果を奏する。
【００５３】
請求項１４にかかる発明によれば、テンプレート原稿に対して仕上げ処理に相当する模倣パターンを記入する際に、ステープラーに相当する直線形状の印章が押印可能な模倣用具を用いるようにしたため、実際にテンプレート原稿にステープルを打たずに直線形状の印章を押印するだけで、ステープルに関する特性値が抽出可能なレイアウトを容易に作成することができるという効果を奏する。
【００５４】
請求項１５にかかる発明によれば、テンプレート原稿に対して仕上げ処理に相当する模倣パターンを記入する際に、穿孔機に相当する円形状の印章が押印可能な模倣用具を用いるようにしたため、実際にテンプレート原稿にパンチ穴を開けずに円形状の印章を押印するだけで、パンチ穴に関する特性値が抽出可能なレイアウトを容易に作成することができるという効果を奏する。
【００５５】
請求項１６にかかる発明によれば、原稿読取ステップは原稿トレイにセットされた複数ページの原稿を順次搬送しながら原稿の片面あるいは両面を連続して自動的に読み取れる自動原稿搬送ステップをさらに含み、原稿トレイにセットされた１枚目の原稿をテンプレート原稿と認識して印刷設定を行い、その印刷設定に基づいて２枚目以降の原稿を印刷処理するようにしたため、テンプレート原稿を１枚目にセットするか、印刷設定に適した実際の原稿を１枚目にセットするだけで、自動的に適正な印刷設定が行われて、複数ページからなる原稿を適正かつ迅速に印刷処理することができるという効果を奏する。
【発明を実施するための最良の形態】
【００６９】
以下に、本発明にかかる画像形成装置および画像形成方法の最良な実施の形態を図面に基づいて詳細に説明する。なお、この実施の形態によりこの発明が限定されるものではない。
【００７０】
［第１の実施の形態］
図１は、本発明の画像形成装置の概略構成を説明するブロック図である。本発明の特徴は、画像形成装置におけるユーザの印刷設定動作に先立って、仕上がりイメージを表現した印刷設定用のテンプレート原稿２２ａの読み取り（プレスキャン）が行われる。これは、読み取ったテンプレート原稿２２ａの画像データを解析して原稿属性を表す特性値を抽出し、その特性値に関連した印刷設定に関わる設定項目を検索する。このようにして検索された設定項目は、テンプレート原稿以降の画像形成に必要な印刷設定項目であり、ユーザインタフェースである操作パネル１８の表示部１８１上に設定済み項目として表示することで、印刷設定作業を適正かつ効率良く行って、設定作業の手間ができるだけ省けるようにしたものである。ここでは、画像形成装置として、スキャナ、複写機、プリンタなどの機能を具備する複合機（ＭＦＰ機）を用いて実施したものである。
【００７１】
図１に示す画像形成装置１０は、原稿読取手段としての原稿読取部１１、その原稿読取部１１を構成するスキャナ１１１およびスキャナコントローラ１１２、自動原稿搬送手段としてのＡＤＦ（オート・ドキュメント・フィーダ）１１３、画像記憶手段としての画像記憶部１２、画像処理手段としての画像処理部１３、印刷手段としての印刷部１４、その印刷部１４を構成するプリンタ１４１およびプリンタコントローラ１４２、仕上げ処理手段としての仕上げ処理部１４３、画像解析手段としての画像解析部１５、設定項目検索手段としての設定項目検索部１６、設定項目検索部１６が照合する設定項目記憶手段としての設定項目ＤＢ１６１、操作パネルを制御する操作パネル制御部１７、ユーザが画像形成装置の操作や印刷設定などを行うユーザ設定手段としての操作パネル１８、その操作パネル１８を構成する表示部１８１および入力部１８２、装置全体を制御するシステム制御部１９、および通信制御部２０などにより構成されている。また、画像形成装置１０は、通信制御部２０を介してネットワーク２１と接続されている。
【００７２】
そして、画像形成装置１０は、テンプレート原稿２２ａを読み取った画像データを解析し、得られた原稿の特性値に関連する設定項目を検索し、その設定項目に基づいて印刷設定が行われる。このテンプレート原稿２２ａに基づく印刷設定は、続いて読み取られる原稿２２の画像データに適用され、画像処理されて印刷されると共に、仕上げ処理が行われ、印刷物２３として出力される。
【００７３】
本発明のテンプレート原稿２２ａは、ユーザの仕上がりイメージをレイアウトで表現した原稿を用いる点に特徴があるため、仕上がりイメージが把握し易く、通常の原稿をそのままテンプレート原稿として用いることが可能であって、仕上がりイメージを後から追加したり変更したりするのを容易に行うことができる。テンプレート原稿のレイアウトは、印刷によるものであっても良いし、ユーザによる手書きにより記述したものであっても勿論良い。
【００７４】
原稿読取部１１は、スキャナ１１１によって所定の読み取り位置にセットされた原稿２１のイメージを読み取ってディジタル画像データに変換するもので、それらの動作制御はスキャナコントローラ１１２が行っている。なお、この原稿読取部１１では、複数ページの原稿を原稿トレイにセットすると、読み取り位置に自動的に１枚ずつ順に繰り出しながら連続して原稿の読み取りが行えるＡＤＦ１１３を搭載している。このように、複数ページの原稿を原稿トレイにセットした場合、例えば１枚目をテンプレート原稿と認識して印刷設定を行い、２枚目以降の原稿をその印刷設定に基づいて印刷処理を行うように設定することも可能である。また、上記したＡＤＦ１１３は、用紙の片面に印刷された片面原稿だけでなく、両面に印刷された両面原稿を搬送途中に反転させることで両面を自動的に読み取ることができる反転機能も備えている。
【００７５】
画像記憶部１２は、原稿読取部１１で読み取った画像データや外部から入力された画像データ等を一時的に保存しておくバッファメモリである。
【００７６】
画像処理部１３は、スキャナ１１１で読み取られ画像記憶部１２に一時保存された多値データをγ補正やＭＴＦ補正等を行った後、スライス処理やディザ処理のような階調処理を行って２値（または多値）化処理したり、ユーザが操作パネル１８を使って設定した各種印刷機能に対応した画像処理（拡大／縮小、濃度／色の調整など）やレイアウト加工処理（両面印刷／片面印刷、集約印刷、余白サイズの調整など）を行うものである。
【００７７】
印刷部１４は、ここでは画像処理部１３で処理された画像データに基づいて、例えば光ビームを偏向走査させ、感光体上に形成した静電潜像にトナーを使って現像し、生成されたトナー画像を転写紙に転写して、定着処理を行う電子写真技術を用いたプリンタ１４１により構成されている。なお、この印刷部１４には、本発明の特徴的な仕上がりイメージを表現したテンプレート原稿２２ａを用いて設定される印刷設定に基づいて、印刷された印刷物２３を部数やページ単位で仕分けするソート処理、複数枚の印刷物２３を揃えてステープルで綴じるステープル処理、あるいは、複数枚の印刷物２３をバインダーやファイルに綴じるためのパンチ穴を空けるパンチ穴処理といった仕上げ処理を行う仕上げ処理部１４３がさらに搭載されている。
【００７８】
画像解析部１５は、画像記憶部１２内に記憶された画像データに対して光学式文字認識を行うＯＣＲ（オプティカル・キャラクタ・レコグニッション）処理を実施し、テンプレート原稿２２ａの属性を表す様々な原稿特性値を算出するものである。この原稿特性値は、画像関係、レイアウト関係、ＡＤＦ（自動原稿搬送）関係の３つに大きく分けることが可能である。例えば、画像関係では、画像種類（文字、写真、イラストあるいはそれらの混合か）、使用色（原稿で使用している色情報であり、モノクロ／カラーの区別）、原稿濃度、画素密度（原稿全体における有画素部分の面積比率）、使用文字サイズなどを数値化したものである。また、レイアウト関係では、原稿方向（原稿の上下左右の位置関係情報）、原稿サイズ、上下左右の余白寸法、レイアウト情報（段組み原稿か否か）などを数値化したものである。さらに、ＡＤＦ関係では、原稿のページ数、原稿面（両面原稿／片面原稿の区別）などを数値化したものである。なお、これらの特性値のうち、定量的な値に関しては、テンプレート原稿内における平均値や最大値、最小値といった統計的な値も併せて算出し、利用することが可能である。
【００７９】
第１の実施の形態における画像解析部１５は、原稿読取部１１で読み取った画像データを解析して、画像形成装置の印刷設定を行うための特性値を抽出するもので、ここでは原稿の大きさを判別するか、レイアウトの認識を行って原稿特性値を抽出している。
【００８０】
設定項目検索部１６は、画像解析部１５で算出されたテンプレート原稿に関する各種特性値が入力されると、その特性値に関連する印刷設定に関わる設定項目を検索するものである。この設定項目検索部１６は、個々の特性値と印刷設定に関わる複数の設定項目情報とが関連付けて記憶されている設定項目ＤＢ１６１と接続されている。このため、設定項目検索部１６が設定項目ＤＢ１６１を使って、画像解析部１５から入力されるテンプレート原稿の特性値に関連した設定項目を検索することで、テンプレート原稿により設定すべき印刷設定項目を検索することが可能となる。
【００８１】
操作パネル１８は、ユーザが画像形成装置１０を操作する際のユーザインタフェースであり、操作情報等が表示される表示部１８１と、操作や設定入力を行うための入力部１８２などを備えている。テンプレート原稿により印刷設定が行われる場合は、設定項目検索部１６によって検索された設定項目が操作パネル制御部１７に入力されると、操作パネル１８の表示部１８１に表示させる選択項目の中から該当する項目を設定済み項目として自動設定するものである。また、操作パネル１８を使ってユーザが印刷設定を行う場合は、この画像形成装置１０で実行したい機能を表示部１８１上の選択項目の中から任意に選択して設定する。選択項目を選択する入力部１８２としては、ここでは表示部１８１の表面に装着され、表示内容に直接タッチして入力することができるタッチパネルを採用しているが、別に設けられたキーボードなどを使って入力しても勿論良い。
【００８２】
システム制御部１９は、各構成部と接続されていて、画像形成装置１０全体を制御するものである。このシステム制御部１９は、ＣＰＵ、ＲＯＭ、ＲＡＭなどから構成されており、ＣＰＵがＲＯＭなどに格納されている基本プログラムに基づいて、ＲＡＭのワーク領域を利用しながら各種処理が実行される。
【００８３】
通信制御部２０は、ＬＡＮ（ローカル・エリア・ネットワーク）やインターネットなどのネットワーク２０と接続され、通信プロトコルに従ってネットワークに接続された他の機器との間で画像データや制御データ等のやり取りするものである。
【００８４】
本第１の実施の形態の画像形成装置１０は、上記のように構成されており、次に動作について説明する。ユーザは、図１に示す原稿２２を複写する際に、所望の仕上がりイメージが表現されたテンプレート原稿２２ａを１枚目に、原稿２２が２枚目以降となるようにして、原稿読取部１１の原稿トレイにセットする。まず、スキャナ１１１が１枚目のテンプレート原稿２２ａを読み取り、その画像データを画像記憶部１２に一時記憶させる。画像解析部１５は、画像記憶部１２の画像データを解析して原稿の属性を表す特性値を抽出する。設定項目検索部１６は、抽出された特性値に基づいて、設定項目ＤＢ１６１に格納された個々の特性値に対応する設定項目を検索する。操作パネル制御部１７は、操作パネル１８の表示部１８１に当該テンプレート原稿２２ａに関連する選択項目を設定状態にして表示する。ユーザは、そのままの印刷設定内容でよければスタートボタンを押下すると、その印刷設定で原稿２２の複写が行われる。このように、ユーザは、関係のない選択項目について考えたり、関係のない選択項目を誤って選択することがなくなり、テンプレート原稿２２ａの仕上がりイメージ通りの印刷設定を短時間で容易に行うことができる。
【００８５】
このようにして、テンプレート原稿２２ａにより印刷設定が行われると、その設定内容に基づいて画像処理部１３で画像データが加工され、印刷部１４で印刷される。また、ステープルやパンチ穴等の仕上げ処理に関する設定が行われた場合は、印刷された印刷物２３を束ねて仕上げ処理部１４３でステープル処理やパンチ穴開け処理が行われて、トレイに排出される。
【００８６】
このように、第１の実施の形態によれば、ユーザの印刷設定に先立って、読み取ったテンプレート原稿２２ａの画像データから原稿の属性を表す特性値を抽出し、その特性値に関連する設定項目を検索して、印刷設定が行われるため、テンプレート原稿２２ａに表現されたイメージ通りの印刷設定を自動的に行うことができる。また、その設定内容にユーザが変更を加える場合でも、絞り込まれた選択項目の中で設定すればよいため、より容易かつ適切に行わせることができる。
【００８７】
［第２の実施の形態］
上記第１の実施の形態では、図１に示すように、画像形成装置１０内で全ての処理が行われるが、本発明は必ずしもこれに限定されない。本第２の実施の形態の特徴は、図１と同様な画像形成装置や原稿読み取り機能を持ったスキャナ、印刷機能を持ったプリンタ等がネットワークを介して当該画像形成装置１０と接続され、テンプレート原稿を読み取った画像データから特性値を抽出して印刷設定を行い、その印刷設定に基づいて印刷処理や仕上げ処理等を行う一連の処理を別々の場所で行うように構成することで、本発明を画像形成システムとして捉えるようにした点にある。
【００８８】
図２は、第２の実施の形態にかかる画像形成システムの概略構成を説明するネットワーク構成図である。図２に示す画像形成システムは、インターネットなどのネットワーク２１を介して、上記図１に示した画像形成装置１０が接続されていると共に、テンプレート原稿や通常の原稿の画像を読み取ることができるスキャナなどを備えた原稿読取装置１１４、印刷機能を持った印刷装置１４４、スキャナで読み取った画像データを印刷用データに加工する画像処理装置１３１などが接続され構成されている。上記したように、図２の画像形成装置１０は単独でも本発明の処理を実行することが可能であるが、テンプレート原稿を別の原稿読取装置１１４で読み取リ、その画像データをネットワーク２１を経由して画像形成装置１０に送り（図１参照）、画像データを一旦画像記憶部１２に記憶させ、画像解析部１５を使ってテンプレート原稿の属性を表す特性値を抽出し、この特性値に関連した印刷設定を行う設定項目を設定項目検索部１６で検索し、その検索結果を操作パネル制御部１７に渡すことで、操作パネル１８に表示する設定項目を絞り込んだり、印刷設定を行うことが可能となる。
【００８９】
また、図２の画像形成装置１０で設定された印刷設定情報は、ネットワーク２１を経由して画像処理装置１３１に送られ、また、画像読取装置１１４で読み取った原稿２２の画像データもネットワーク２１を経由して画像処理装置１３１に送られる。画像処理装置１３１では、印刷設定情報に応じて原稿２２の画像データが加工され、その加工データをネットワーク２１を経由して印刷装置１４４に送り、印刷処理や仕上げ処理等を行うようにしても良い。
【００９０】
このように、第２の実施の形態によれば、第１の実施の形態における画像形成装置の各処理機能をネットワークを介して接続された装置間で分担して処理する場合にも適用可能であり、第１の実施の形態と同様に、仕上がりイメージを表現したテンプレート原稿を使って印刷設定を行うため、イメージ通りの印刷設定を行うことができる。また、その設定内容にユーザが変更を加えたり追加する場合でも、テンプレート原稿をイメージ通りに修正すればよいため、容易かつ適切な変更を行うことができる。
【００９１】
［第３の実施の形態］
第３の実施の形態では、原稿解析部１５において、テンプレート原稿２２ａから原稿の大きさを判別することにより、特性値を抽出する場合の例について説明する。
【００９２】
テンプレート原稿２２ａの大きさを判別して特性値を抽出する場合については、まず、テンプレート原稿２２ａを原稿読取部１１のスキャナ１１１を使って読み取る際に、原稿の大きさを判別する。読み取った原稿の大きさを自動判別する技術については、公知技術を用いて実施できるため、ここでは説明を省略する。テンプレート原稿２２ａの大きさを判別した後、複写の対象となる実際の原稿２２を上記と同様の自動判別技術を用いて大きさを判別する。このとき、原稿解析部１５は、テンプレート原稿２２ａと実際の原稿２２の大きさが同じであると判断すると、「等倍」という原稿特性値を抽出する。また、別の例として、テンプレート原稿２２ａの大きさがＡ３サイズであり、実際の原稿２２の大きさがＡ４サイズであった場合は、Ａ４からＡ３へ拡大して複写することになるため、「１４１％拡大」という原稿特性値を抽出する。
【００９３】
このように、第３の実施の形態によれば、原稿の読み取りを行うだけで、原稿の大きさに関する特性値を抽出し、ユーザインタフェースである操作パネル１８上でユーザが所望する拡大／縮小操作に関わる印刷設定を行うことが可能となり、操作性が向上する。
【００９４】
［第４の実施の形態］
第４の実施の形態では、原稿解析部１５において、テンプレート原稿２２ａの画像データからレイアウトの認識を行い、特性値を抽出する場合について説明する。ここで述べるレイアウトの認識とは、レイアウト形状の認識だけでなく、その形状が存在する座標位置の認識、およびその形状を表す色情報の認識などが含まれ、既存のパターン認識技術を用いて実現することができる。レイアウト認識の具体例としては、集約処理、カラー変換処理、仕上げ処理（ステープル、パンチ穴）などに分けることができ、図３〜図６を用いて説明する。
【００９５】
（集約処理）
図３−１は、２面集約のレイアウト例を示したテンプレート原稿の図であり、図３−２は、４面集約のレイアウト例を示したテンプレート原稿の図である。まず、図３−１に示すように、テンプレート原稿２２ａの中に２つの矩形枠３０が記入されている場合、画像解析部１５は、画像データに基づいて矩形枠３０が２つあることを認識すると共に、両矩形の存在する座標位置から両矩形は左右対称であって、テンプレート原稿内に比較的大きく描かれていることがわかる。
【００９６】
画像解析部１５は、このようなレイアウトを認識した場合、２枚の原稿を１枚の用紙に集約して複写するという意味を表す「２面集約」の特性値を抽出する。また、図３−２に示すように、画像解析部１５は、テンプレート原稿２２ａの中に４つの矩形枠３１が記入されたレイアウトを認識した場合、４枚の原稿を１枚の用紙に集約して複写するという意味の「４面集約」の特性値を抽出する。さらに、図示していないが、画像解析部１５がテンプレート原稿２２ａの中に８つの矩形枠が記入されたレイアウトを認識した場合、８枚の原稿を１枚の用紙に集約して複写するという意味の「８面集約」の特性値を抽出するようにする。
【００９７】
このように、テンプレート原稿２２ａの中にさまざまな集約面数の矩形枠が記入されている場合は、その数に応じた集約面数の特性値を抽出することが可能となり、図１の設定項目検索部１６において集約に関する設定項目が検索され、操作パネル制御部１７で特性値の集約面数に応じた印刷設定が行われる。
【００９８】
（カラー変換処理）
図４は、２面集約のレイアウト例において矩形枠が青色で描かれたテンプレート原稿の図である。図４に示すように、テンプレート原稿２２ａの矩形枠３２が青色で描かれている場合、画像解析部１５は、レイアウト認識した矩形枠３２の色情報に関する特性値も抽出可能である。このため、図４の場合は、上記した「２面集約」の特性値と、複写時における印字色を通常の「黒」から「青」に変換するための「カラー変換」の特性値を抽出する。
【００９９】
このように、テンプレート原稿２２ａの中に集約面数を表す矩形枠３２が記入され、さらにその矩形枠３２の色が黒以外の色で描かれている場合は、その数に応じた集約面数の特性値に加えて、カラー変換の特性値を抽出することが可能となり、図１の設定項目検索部１６において集約とカラー変換に関する設定項目が検索され、操作パネル制御部１７でその設定項目に応じた印刷設定が行われる。
【０１００】
（仕上げ処理−ステープル）
図５−１は、原稿の左端２ヶ所にステープルの仕上げ処理を行うことを示したテンプレート原稿の図であり、図５−２は、原稿の左上１ヶ所にステープルの仕上げ処理を行うことを示したテンプレート原稿の図であり、図５−３は、原稿の上端２ヶ所にステープルの仕上げ処理を行うことを示したテンプレート原稿の図である。これら図５−１〜図５−３に示したステープル処理は、複数ページの原稿を複写した後、ステープルを使って自動的に束ねるためのステープラーが内蔵された複写機や複合機を前提としている。例えば、図５−１に示すように、テンプレート原稿２２ａの記載範囲である矩形枠３０の左端に設けられた図形領域４０にユーザが実際に文房具を使用してステープル４０ａを２ヶ所打ってレイアウトを作成したものである。これにより、ユーザはより具体的な仕上がりイメージを抱くことができる。
【０１０１】
また、図５−２の場合は、テンプレート原稿２２ａの矩形枠３０の左上に設けられた図形領域４１にユーザが実際に文房具を使用してステープル４１ａを１ヶ所打ってレイアウトを作成したものである。また、図５−３の場合は、テンプレート原稿２２ａの矩形枠３０の上端に設けられた図形領域４２にユーザが実際に文房具を使用してステープル４２ａを２ヶ所打ってレイアウトを作成したものである。これらのステープル位置の違いは、原稿の記載の仕方（横書き、縦書き）、あるいは簡易文書か正式文書などにより使い分けている。
【０１０２】
このように作成されたテンプレート原稿２２ａは、図１の原稿読取部１１で読み取って、画像解析部１５で特性値を抽出し、設定項目検索部１６で関連した設定項目を検索することで、操作パネル制御部１７においてイメージ通りに印刷設定することができる。
【０１０３】
また、上記のように、テンプレート原稿２２ａに実際にステープルを打ったのは、ステープル位置を原稿読取部１１で読み取れるようにするためである。ただし、ＡＤＦを使用する場合、実際にテンプレート原稿にステープルを打ってしまうとＡＤＦを破損するおそれがある。従って、ステープルに相当する模倣パターンをテンプレート原稿２２ａに記入し、これを原稿読取部１１で読み取るようにしても良く、上記と同様の効果を得ることができる。ここでは、ステープルに相当する直線形状の印章が押印可能な模倣用具を使い、テンプレート原稿２２ａの所定位置にスタンプするようにしたが、ペン等により手書きで記入しても良い。
【０１０４】
ステープルの模倣用具を使ってステープルに相当する直線形状の印章を押印する場合は、図５−１のテンプレート原稿２２ａの図形領域４０にスタンプ押印する。画像解析部１５は、図５−１のテンプレート原稿２２ａの画像データを解析し、認識された形状が短い直線で、直線の長さは原稿に比べて非常に短く、認識時の座標位置が原稿の左端にあって、認識された形状の個数を２と判断すると「ステープル左２箇所」の特性値を抽出する。また、画像解析部１５は、図５−２のテンプレート原稿２２ａの画像データを解析し、認識時の座標位置が原稿の上端にあって、認識された形状の個数を１と判断すると「ステープル上」の特性値を抽出する。さらに、画像解析部１５は、図５−３のテンプレート原稿２２ａの画像データを解析し、認識時の座標位置が原稿の上端にあって、認識された形状の個数を２と判断すると「ステープル上２箇所」の特性値を抽出する。
【０１０５】
このように、ステープルを打った状態を再現する模倣用具を使ってテンプレート原稿のレイアウトを作成した場合でも、ユーザは仕上げ処理を実感することができると共に、そのテンプレート原稿を読み取って特性値を抽出し、所望の印刷設定を行うことができる。なお、手書きによりステープル処理のレイアウトを作成する場合は、原稿解析部１５に公知技術（例えば、特許第３０２４６８０号公報参照）の手書きパターン認識方法などを用いることで実施することができる。
【０１０６】
（仕上げ処理−パンチ穴）
図６−１は、原稿の左端２ヶ所にパンチ穴の仕上げ処理を行うことを示したテンプレート原稿の図であり、図６−２は、原稿の上端２ヶ所にパンチ穴の仕上げ処理を行うことを示したテンプレート原稿の図である。この図６−１と図６−２に示したパンチ穴処理は、複数ページの原稿を複写した後、それらを束ねたり、綴じたりするパンチ穴を開ける穿孔機が内蔵された複写機や複合機を前提としている。例えば、図６−１に示すように、テンプレート原稿２２ａの記載範囲である矩形枠３０の左端に設けられた図形領域５０にユーザが実際に文房具を使用してパンチ穴５２ａを２ヶ所開けてレイアウトを作成したものである。これにより、ユーザはより具体的な仕上がりイメージを抱くことができる。
【０１０７】
また、図６−２の場合は、テンプレート原稿２２ａの矩形枠３０の上端に設けられた図形領域５１にユーザが実際に文房具を使用してパンチ穴５１ａを２ヶ所開けてレイアウトを作成したものである。これらのパンチ穴位置の違いは、原稿の記載の仕方（横書き、縦書き）などにより使い分けている。
【０１０８】
このように作成されたテンプレート原稿２２ａは、図１の原稿読取部１１で読み取って、画像解析部１５で特性値を抽出し、設定項目検索部１６で関連した設定項目を検索することで、操作パネル制御部１７においてイメージ通りに印刷設定することができる。
【０１０９】
テンプレート原稿２２ａに実際にパンチ穴を開けたのは、そのパンチ穴位置を原稿読取部１１で読み取れるようにするためである。従って、パンチ穴に相当する模倣パターンをテンプレート原稿２２ａに記入し、これを原稿読取部１１で読み取るようにしても良く、上記と同様の効果を得ることができる。ここでは、パンチ穴に相当する円形状の印章が押印可能なスタンプ用具を使い、テンプレート原稿２２ａの所定位置に記入するようにしたが、ペン等により手書きで記入しても良い。
【０１１０】
パンチ穴の模倣用具を使ってパンチ穴に相当する円形状の印章を押印する場合は、図６−１のテンプレート原稿２２ａの図形領域５０にスタンプ押印する。画像解析部１５は、図６−１のテンプレート原稿２２ａの画像データを解析し、認識された形状が円で、円の大きさは原稿に比べて非常に小さく、認識時の座標位置が原稿の左端にあると判断すると「パンチ左」の特性値を抽出する。また、画像解析部１５は、図６−２のテンプレート原稿２２ａの画像データを解析し、認識時の座標位置が原稿の上端にあって、認識された形状が円で、円の大きさは原稿に比べて非常に小さいと判断すると「パンチ穴上」の特性値を抽出する。
【０１１１】
このように、パンチ穴を打った状態を再現する模倣用具を使ってテンプレート原稿のレイアウトを作成した場合でも、ユーザは仕上げ処理を実感することができると共に、そのテンプレート原稿を読み取って特性値を抽出し、所望の印刷設定を行うことができる。なお、手書きによりパンチ穴処理のレイアウトを作成する場合についても、ステープルの場合と同様に原稿解析部１５に公知技術（特許第３０２４６８０号公報参照）の手書きパターン認識方法を用いて実施することができる。
【０１１２】
また、手書きによるレイアウト作成時に抽出可能な原稿の特性値としては、「薄い原稿」がある。この特性値は、テンプレート原稿２２ａに例えば２Ｈなどの薄めの鉛筆を用いてレイアウトを作成した場合に、原稿解析部１５による濃度判別処理で薄いと判定されることにより抽出される。
【０１１３】
テンプレート原稿２２ａを用いて印刷設定を行う場合に、仕上がりイメージだけでは表現できない設定項目がある。例えば、テンプレート原稿の片面に表現された仕上がりイメージの画像だけでは、両面印刷を指示したり、モノクロ原稿を所定のモノカラーで印刷するように指示したり、カラー原稿をモノクロで印刷するように指示したりすることができない場合が生じる。このため、第４の実施の形態では、テンプレート原稿２２ａにおける仕上がりイメージに加えて、記号やコードなどを併用して、印刷設定を補助するようにしたものである。
【０１１４】
印刷設定を補助する記号やコードは、仕上がりイメージとは異なり、テンプレート原稿を作成する際に用いる記号やコードを予め意味付けしておく必要がある。その具体例として、片面の原稿を両面印刷する場合の記号をアイコン等を使ってテンプレート原稿上に表現し、このアイコンを画像解析部１５が認識すると、これに対応した特性値を抽出して印刷設定を行うことができる。ここで用いられるアイコンは、予め意味付け（約束事）がしてあればどのようなものでも対応した特性値が抽出可能となる。しかし、本発明のテンプレート原稿は、基本的には仕上がりイメージを表現することが特徴であるため、ユーザに立場に立って考えると、使用するアイコンもできるだけイメージに近いものを使用することが望ましい。また、抽象的なバーコードなどを使わざるを得ない場合については、その近辺にイメージで表現したものを配置することが望ましい。
【０１１５】
このように、第４の実施の形態よれば、テンプレート原稿の表現として、仕上がりイメージだけでは表現できない印刷設定項目については、印刷設定を補助する記号やコードなどを合わせて使うことにより、さらに多くの印刷設定項目について自動設定を行うことが可能となる。
【０１１６】
［第５の実施の形態］
第５の実施の形態では、仕上がりイメージなどによって表現されたテンプレート原稿を用いて、自動的に印刷設定が行われる動作について、図７および図８のフローチャートを用いて説明する。
【０１１７】
図７は、本発明の画像形成装置における印刷設定動作のメインルーチンを示すフローチャートであり、図８は、図７の原稿特性値算出処理のサブルーチンを示すフローチャートである。まず、図７に示すように、ユーザの仕上がりイメージが表現されたテンプレート原稿が画像形成装置１０の原稿読取部１１のスキャナ１１１にセットされ（ステップＳ１００）、ユーザが操作パネル１８の入力部１８２に設けられている読取開始ボタンが押下されるまで待機している（ステップＳ１０１）。
【０１１８】
その読取開始ボタンが押下されると、テンプレート原稿２２ａの読み取りが開始され（ステップＳ１０２）、読み取られた画像データが画像記憶部１２に一時的に保存される（ステップＳ１０３）。画像解析部１５は、画像記憶部１２に保存されたテンプレート原稿２２ａの画像データを読み出して、原稿の属性を表す特性値を算出する（ステップＳ１０４）。
【０１１９】
このステップＳ１０４における原稿特性値算出処理は、図８のサブルーチンのように処理される。すなわち、画像解析部１５は、まず原稿の大きさの判別を行い（ステップＳ２００）、続いてテンプレート原稿に表現されている図形形状の判別を行う（ステップＳ２０１）。上記した実施の形態では、原稿内容の記載範囲を示す矩形枠３０，３１，３２、ステープル４０ａ，４１ａ，４２ａ、パンチ穴５１ａ，５２ａなどの形状を判別する。
【０１２０】
続いて、形状を判別した図形座標を判別する（ステップＳ２０２）。この図形座標の判別は、上記した矩形枠３０，３１，３２などの座標位置を判別して、集約面数などをカウントすることができる。
【０１２１】
次に、形状を判別した図形が存在する図形領域を判別する（ステップＳ２０３）。この図形領域の判別は、上記したステープル４０ａ，４１ａ，４２ａ、あるいはパンチ穴５１ａ，５２ａなどが存在する領域を判別することで、どのタイプの仕上げ処理を行えば良いかを判断することができる。
【０１２２】
さらに、座標位置が判別された矩形枠３０，３１，３２において、図形色の判別が行われる（ステップＳ２０４）。この矩形枠３２における図形色は、通常の「黒」から「青」に変わっており、このことは、印字色を通常の「黒」から「青」にカラー変換することを意味している。
【０１２３】
このように、ステップＳ１０４の原稿特性値算出処理のサブルーチンにおける各判別結果に基づいて、それぞれの特性値が算出され、その算出された特性値を収集する（ステップＳ２０５）。
【０１２４】
このようにして収集されたテンプレート原稿２２ａの特性値が設定項目検索部１６に送られると、設定項目検索部１６は、各種特性値と印刷設定に必要な設定項目とを関連付けて記憶している設定項目ＤＢ１６１と照合して、収集された特性値に関連した設定項目を検索する（図７のステップＳ１０５）。
【０１２５】
検索された設定項目は、操作パネル制御部１７に送られ、原稿画像の加工、あるいは、印刷用紙の仕上げ処理に関する印刷設定が自動的に行われる（図７のステップＳ１０６）。
【０１２６】
このように、第５の実施の形態によれば、ユーザの印刷設定に先立って、仕上がりイメージが表現されたテンプレート原稿２２ａを画像形成装置１０に読み取らせるだけで、イメージ通りの印刷設定を行うことが可能となり、印刷設定に関する操作性を向上させることができる。使用するテンプレート原稿は、仕上がりイメージが表現されていれば良いため、通常の原稿をテンプレート原稿として使用することが可能である。
【０１２７】
なお、上記した第１〜第５の実施の形態における画像形成装置には、図１に示すように、システム制御部１９にＣＰＵ、ＲＯＭ、ＲＡＭなどを備え、操作パネル１８にはディスプレイ装置などの表示部１８１と、タッチパネルなどを使った入力部１８２とを具備し、さらに図示省略したＨＤＤやＣＤドライブなどの外部記憶部などを備えたものも普及しつつある。
【０１２８】
このようなハードウェア構成からなる本実施の形態の画像形成装置で実行されるプログラムは、ＲＯＭ等に予め組み込んで提供するように構成しても良く、また、インストール可能な形式又は実行可能な形式のファイルでＣＤ−ＲＯＭ等のコンピュータで読み取り可能な記録媒体に記録して提供してもよい。
【０１２９】
さらに、本実施の形態の画像形成装置で実行されるプログラムは、インターネット等のネットワーク２１を介してダウンロードさせることにより提供または配布するように構成しても良い。
【０１３０】
本実施の形態の画像形成装置で実行されるプログラムは、ＣＰＵ（プロセッサ）がＲＯＭなどの記録媒体からプログラムを読み出して実行することにより、ＨＤＤなどの主記憶装置上にロードされて生成されるようになっている。
【産業上の利用可能性】
【０１３１】
以上のように、本発明にかかる画像形成装置および画像形成方法は、ユーザによる印刷設定に先立って、仕上がりイメージを表現したテンプレート原稿の画像データを解析し、原稿属性を表す特性値を抽出して、特性値に関連する設定項目を検索することにより、印刷設定を自動的に行うようにした複写機、ファクシミリ、プリンタ、それらの複合機などの画像形成装置および画像形成方法に適している。 
【図面の簡単な説明】
【０１３２】
【図１】本発明の画像形成装置の概略構成を説明するブロック図である。
【図２】第２の実施の形態にかかる画像形成システムの概略構成を説明するネットワーク構成図である。
【図３−１】２面集約のレイアウト例を示したテンプレート原稿の図である。
【図３−２】４面集約のレイアウト例を示したテンプレート原稿の図である。
【図４】２面集約のレイアウト例において矩形枠が青色で描かれたテンプレート原稿の図である。
【図５−１】原稿の左端２ヶ所にステープルの仕上げ処理を行うことを示したテンプレート原稿の図である。
【図５−２】原稿の左上１ヶ所にステープルの仕上げ処理を行うことを示したテンプレート原稿の図である。
【図５−３】原稿の上端２ヶ所にステープルの仕上げ処理を行うことを示したテンプレート原稿の図である。
【図６−１】原稿の左端２ヶ所にパンチ穴の仕上げ処理を行うことを示したテンプレート原稿の図である。
【図６−２】原稿の上端２ヶ所にパンチ穴の仕上げ処理を行うことを示したテンプレート原稿の図である。
【図７】本発明の画像形成装置における印刷設定動作のメインルーチンを示すフローチャートである。
【図８】図７の原稿特性値算出処理のサブルーチンを示すフローチャートである。
【符号の説明】
【０１３３】
１０  画像形成装置
１１  原稿読取部
１１１  スキャナ
１１２  スキャナコントローラ
１１３  ＡＤＦ
１１４  原稿読取装置
１２  画像記憶部
１３  画像処理部
１３１  画像処理装置
１４  印刷部
１４１  プリンタ
１４２  プリンタコントローラ
１４３  仕上げ処理部
１４４  印刷装置
１５  画像解析部
１６  設定項目検索部
１６１  設定項目ＤＢ
１７  操作パネル制御部
１８  操作パネル
１８１  表示部
１８２  入力部
１９  システム制御部
２０  通信制御部
２１  ネットワーク
２２  原稿
２２ａ  テンプレート原稿
２３  印刷物
３０，３１，３２  矩形枠
４０，４１，４２  図形領域
４０ａ，４１ａ，４２ａ  ステープル
５０，５１  図形領域
５１ａ，５２ａ  パンチ穴
【図１】
0004387275.tif 000002
【図２】
0004387275.tif 000003
【図３−１】
0004387275.tif 000004
【図３−２】
0004387275.tif 000005
【図４】
0004387275.tif 000006
【図５−１】
0004387275.tif 000007
【図５−２】
0004387275.tif 000008
【図５−３】
0004387275.tif 000009
【図６−１】
0004387275.tif 000010
【図６−２】
0004387275.tif 000011
【図７】
0004387275.tif 000012
【図８】
0004387275.tif 000013